(57)【要約】      （修正有）【課題】背面壁と、前記背面壁の対向側に出入口が形成されるように前記背面壁の両端に立設した側面壁とからなる貯留ヤードにおいて、貯留ヤード内に積み上げられた廃棄物が貯留ヤード内で崩れたとしても、貯留ヤードの外に散乱せず、貯留ヤードに廃棄物を貯留できるようにする。【解決手段】出入口３ａを開閉可能とするゲート４を設け、ゲート４により出入口３ａを閉鎖して上方開口部３ｂから貯留ヤード１ａ内に廃棄物を投入するようにした。【選択図】図３
2007070091.tif 000002
【特許請求の範囲】
【請求項１】
背面壁と、
前記背面壁の対向側に出入口が形成されるように前記背面壁の両端に立設した側面壁とからなる貯留ヤードにおいて、
前記出入口を開閉しうるゲートと、
前記ゲートを上下移動させうる駆動装置とを備え、
前記ゲート閉鎖時に、前記側面壁と背面壁とゲートとの上方に形成された上方開口部より貯留ヤード内に被貯留物を投入できるようにしたことを特徴とする貯留ヤードにおけるゲート開閉装置。
【請求項２】
前記ゲートの高さを、前記側面壁の高さより低くしたことを特徴とする請求項１に記載の貯留ヤードにおけるゲート開閉装置。
【発明の詳細な説明】
【技術分野】
【０００１】
本発明は、廃棄物処理場に搬入された廃棄物を一時的に貯留する貯留ヤードに関する。
【背景技術】
【０００２】
従来の廃棄物処理場においては、特許文献１に示すように、前記廃棄物処理場内に設けられた処理施設での廃棄物処理工程の前に、廃棄物を一時的に貯留する貯留ヤードが設けられており、廃棄物処理場に搬入された廃棄物が前記処理施設の処理能力以上となった時に、処理できない廃棄物を前記貯留ヤードに一時的に貯留するようになっている。このため、図９に示すように、貯留ヤード２０１は一時的に貯留された廃棄物を容易に貯留・搬出できるように三方向を側面壁２０２ａ、２０２ｃと背面壁２０２ｂで囲み、残りの一方向に出入口２０３を形成する構成となっている。
【０００３】
【特許文献１】特開昭４８−５２７２号公報
【発明の開示】
【発明が解決しようとする課題】
【０００４】
しかし図１０に示すように、貯留ヤード２０１内に廃棄物２０４を積み上げると、山積みにされた廃棄物２０４は崩れ、崩れた廃棄物２０４が前記出入口２０３より貯留ヤード２０１の外側に散乱することがある。その結果、貯留ヤード２０１の外に散乱した廃棄物２０４により、廃棄物処理場内に搬送する搬出車両の通行を妨げ、廃棄物処理場の作業効率を低下させる。そこで、本発明では上記の問題点を鑑み、貯留ヤード２０１内に廃棄物２０４を貯留しても貯留ヤード２０１の外側に廃棄物２０４が散乱せず、貯留ヤード２０１に廃棄物２０４を貯留することができる貯留ヤードにおけるゲート開閉装置を提供するものである。
【課題を解決するための手段】
【０００５】
本発明の貯留ヤードにおけるゲート開閉装置は、背面壁と、前記背面壁の対向側に出入口が形成されるように前記背面壁の両端に立設した側面壁とからなる貯留ヤードにおいて、前記出入口を開閉しうるゲートと、前記ゲートを上下移動させうる駆動装置とを備え、前記ゲート閉鎖時に、前記側面壁と背面壁とゲートとの上方に形成された上方開口部より貯留ヤード内に被貯留物を投入できるようにしたものである。
【０００６】
上記のように構成された貯留ヤードにおけるゲート開閉装置は、前記ゲートにより出入口を閉鎖し、上方開口部から被貯留物を投入することにより、貯留ヤード内で山積みにされた被貯留物が崩れたとしても、被貯留物が貯留ヤードの外側に散乱するのを防止できる。
【０００７】
また、上記貯留ヤードにおけるゲート開閉装置において、ゲートの高さを側面壁の高さより低くすることが好ましい。
この場合、前記出入口を前記ゲートにより閉鎖した際に、高さの低いゲートの上方から貯留ヤード内に被貯留物を投入できるため、被貯留物を貯留ヤード内に容易に投入することが出来る。
【発明の効果】
【０００８】
本発明によれば、貯留ヤードの出入口を開閉しうるゲートを設けることにより、貯留ヤード内に被貯留物を積み上げたとしても、前記ゲートにより出入口が閉鎖されているため、被貯留物が貯留ヤードの外に散乱せず、貯留ヤードに被貯留物を貯留することが出来る。
【発明を実施するための最良の形態】
【０００９】
図１に示すように、廃棄物処理場には廃棄物（被貯留物）の種類毎に廃棄物を一時的に貯留するための貯留ヤード１ａ、１ｂが設けられている。前記貯留ヤード１ａ、１ｂに貯留された廃棄物は、搬送車両により廃棄物の種類ごとに決められたホッパ１０１に投入された後、それぞれのホッパ１０１の下方に設けられたコンベヤ１０２により図示しない処理施設に運ばれ、処理される。これにより、処理施設の処理能力を超える廃棄物が廃棄物処理場に搬入された時には、前記貯留ヤード１ａ、１ｂに廃棄物を一時的に貯留することができ、その後処理施設の処理能力に余裕ができた時に、一時貯留した廃棄物を処理施設で処理することが出来る。
【００１０】
次に、本発明の貯留ヤードの構成について説明する。なお、貯留ヤード１ａ及び１ｂは同一構成のため、本実施の形態では貯留ヤード１ａのみについて説明する。図２は、本発明の貯留ヤード１ａの全体平面図、図３は図２のＡ−Ａ断面図、図４は本発明の貯留ヤード１ａの全体正面図である。図２、図３に示す如く、本発明の貯留ヤード１ａは、地面より立設した背面壁２ｂと、前記背面壁２ｂの対向側に出入口３ａが形成されるように前記背面壁２ｂの両端に立設した側面壁２ａ、２ｃと、上方開口部３ｂとから構成されている。前記貯留ヤード１ａには、出入口３ａを開閉しうるゲート４と、当該ゲート４を上下移動するための駆動装置５とが設けられており、前記駆動装置５によりゲート４を上下に移動させることにより、出入口３ａを開閉するようになっている。前記上方開口部３ｂはゲート４を閉鎖した際に、前記側面壁２ａ、２ｃと前記背面壁２ｂと前記ゲート４との間で囲まれた空間の上方に形成される。これにより、前記ゲート４を閉鎖することにより、前記上方開口部３ｂから廃棄物を貯留ヤード１ａ内に投入することができ、前記ゲート４を開放することにより出入口３ａから貯留ヤード１ａ内の廃棄物を搬出することができる。
【００１１】
前記ゲート４は図４に示す如く、複数のゲート板６を上下方向に配設して構成されている。また、図３に示す如く、前記ゲート４の高さｈは側面壁２ａ、２ｃの高さＨよりも低くしてあり、ゲート４の上方に前記上方開口部３ｂの一部として開口スペース３ｂ１を形成している。これにより、貯留ヤード１ａの前方（図３左側）から開口スペース３ｂ１より廃棄物を貯留ヤード１ａ内にショベルカー、ダンプカー又は人力などで容易に投入することができる。
【００１２】
前記ゲート板６の左右両端は図６に示す如く、後述するチェーンプレート１１に形成された取り付け部８に、ボルト９とナット１０とにより連結されている。また、図５に示すように、ゲート板６の裏面には、コの字形の補強部材７を固定し、ゲート板６を補強してある。
【００１３】
次に、前述した駆動装置５について説明する。駆動装置５は図２に示すように、モータ１２、第一駆動スプロケット１３、第二駆動スプロケット１４、第一従動スプロケット１５、第二従動スプロケット１６及びチェーン１７とからなり、前記モータ１２の駆動により各スプロケット１３、１４、１５、１６を回転させてチェーン１７を移動させるようになっている。
【００１４】
前記モータ１２は図３に示す如く、側面壁２ａの上面後部に支持フレーム１８を介して固定されており、前記モータ１２には図２に示す如く、減速機１９を介して第一駆動スプロケット１３が連結されている。前記第一駆動スプロケット１３の前方（図２下側）の側面壁２ａ、２ｃの上面には、第一従動スプロケット１５が回転軸２０に固定されており、第一駆動スプロケット１３と第一従動スプロケット１５には無端状の駆動用チェーン２１が巻き掛けられている。前記回転軸２０は図２に示す如く、側面壁２ａ、２ｃの上面に設けられた支持ブラケット２２により回転可能に支持されている。前記回転軸２０には、第二駆動スプロケット１４が側面壁２ａ、２ｃの上面後部にそれぞれ回転可能に軸支されている。前記側面壁２ａ、２ｃの上面前部には第二従動スプロケット１６が支持ブラケット２３を介してそれぞれ回転可能に設けられている。前記第二駆動スプロケット１４及び第二従動スプロケット１６にはそれぞれチェーン１７の中間部を巻き掛けている。
【００１５】
前記チェーン１７の後部（図３右側）は、図３に示す如く貯留ヤード１ａ内の後方隅部に設けた保護ガード２４の内部に垂下されており、チェーン１７後端には重り２５が連結されている。
【００１６】
前記チェーン１７の前部（図３左側）は、案内装置２６により上下方向に案内支持されるようになっている。前記案内装置２６は、図４に示すように側面壁２ａ、２ｃの前面に設けられており、図６に示すように、枠部材２７とレール部材２８とから構成されている。前記枠部材２７は、板状枠部材２７ａとＬ形枠部材２７ｂとから構成されている。前記板状枠部材２７ａは、前記側面壁２ａ、２ｃにボルト２９により固定されている。そして、前記板状枠部材２７ａには、Ｌ形枠部材２７ｂの一端が固定されている。そして、前記Ｌ形枠部材２７ｂのガイド部２７ｂ１と対向する板状枠部材２７ａの面には前記レール部材２８が固定されている。前記レール部材２８とガイド部２７ｂ１との間には、チェーン１７を構成する各チェーンプレート１１及び当該チェーンプレート１１同士を連結する連結ピン３０に軸支されたチェーンローラ３１が配設されている。これにより、チェーン１７はチェーンローラ３１がレール部材２８とガイド部２７ｂ１とにより案内されることにより、上下移動するようになっている。
【００１７】
図２に示すように、前記チェーン１７の中間部の下方と第二駆動スプロケット１４の後方下方には、貯留ヤード１ａの側面壁２ａ、２ｃに前後方向に伸びる下側レール部材３２を設けてあり、当該下側レール部材３２の上面を前記チェーンローラ３１が転動することにより、チェーン１７の前後移動を案内するようにしてある。
【００１８】
また、図３に示すように、第二駆動スプロケット１４と第二従動スプロケット１６の上方には、側面壁２ａ、２ｃに立設した上部レール部材３３を配置してあり、前記上部レール部材３３は前記チェーンローラ３１と接し、チェーン１７がそれぞれ第二駆動スプロケット１４および第二従動スプロケット１６とから上方に外れるのを防止するようにしてある。
【００１９】
次に、本発明の作用について説明する。廃棄物処理場において、廃棄物処理場の廃棄物処理施設の処理能力以上の廃棄物３４が搬入された場合、搬入された廃棄物３４は、貯留ヤード１ａに一時的に貯留される。このとき、図３に示す如く、貯留ヤード１ａ内に廃棄物３４が貯留されていない状態から貯留ヤード１ａ内に廃棄物３４を貯留する場合、モータ１２を駆動し、第一駆動スプロケット１３を図３の時計方向に回転させると、駆動用チェーン２１を介して第一従動スプロケット１５が図３の時計方向に回動するとともに、回転軸２０を介して第二駆動スプロケット１４が図３の時計方向に回動する。前記第二駆動スプロケット１４が回動することにより、第二駆動スプロケット１４にそれぞれ巻き掛けられているチェーン１７が貯留ヤード１ａの後部に移動する。これにより、ゲート４はチェーン１７の前部とともに貯留ヤード１ａの上部に向けて移動し、チェーン１７後部は重り２５の自重により保護ガード２４の内部を通って下方に移動する。そして、図７に示すようにゲート４の下端が下側レール部材３２の上面まで移動すると、モータ１２を停止し、ゲート４の移動を停止させる。
【００２０】
これにより、貯留ヤード１ａの出入口３ａは開放されるため、出入口３ａから貯留ヤード１ａ内に廃棄物３４をショベルカー、ダンプカー、又は人力等で搬入して貯留する。このように、貯留ヤード１ａ内に廃棄物３４が貯留されていない場合、又は貯留量が少ない場合は、出入口３ａから廃棄物３４を搬入することができるため、搬入作業を容易に行うことが出来る。貯留ヤード１ａ内に一時貯留される廃棄物３４が、図７に示すように出入口３ａ付近まで積み上げられた後は、ゲート４により出入口３ａを閉鎖し、上方開口部３ｂから廃棄物を投入する。
【００２１】
出入口３ａの閉鎖は、まず、モータ１２を駆動し、第一駆動スプロケット１３を図７の反時計方向に回動させると、駆動用チェーン２１を介して第一従動スプロケット１５が図７の反時計方向に回動するとともに、回転軸２０を介して第二駆動スプロケット１４が図７の反時計方向に回動する。前記第二駆動スプロケット１４の回動によりチェーン１７は貯留ヤード１ａの前部に移動する。すると、チェーン１７の前端は、第二従動スプロケット１６にかみ合うことにより側面壁２ａ、２ｃの前方下方に導かれ、チェーンローラ３１がレール部材２８とＬ形枠部材２７ｂとに案内されて下方に移動するとともに、ゲート４は、チェーン１７の前部とともに下方に移動する。そして図８の如く、ゲート４が貯留ヤード１ａの出入口３ａを閉鎖すると、モータ１２を停止させる。
【００２２】
出入口３ａの閉鎖後は、再び貯留ヤード１ａ内に廃棄物３４を投入する。その際、出入口３ａはゲート４により閉鎖されているため、上方開口部３ｂもしくは開口スペース３ｂ１から、ダンプカー、ショベルカー又は人力等により貯留ヤード１ａの内部へ廃棄物３４を投入する。これにより、貯留ヤード１ａ内に積み上げられた廃棄物３４が崩れたとしても、貯留ヤード１ａの出入口３ａがゲート４により閉鎖されているため、貯留ヤード１ａ内の廃棄物３４が貯留ヤード１ａの外に流出することがない。その結果、より多くの廃棄物３４を貯留することが出来る。さらに、側面壁２ａ、２ｃの高さＨより低い開口スペース３ｂ１から貯留ヤード１ａ内に廃棄物３４を投入することが出来るので、投入作業を容易に行うことが出来る。
貯留ヤード１ａ内に貯留された廃棄物を搬出する場合は、前述の如くゲート４を開放することにより出入口３ａから貯留ヤード１内の廃棄物をショベルカーで搬出する。
【００２３】
以上のように構成された本発明の実施形態では、貯留ヤード１ａの出入口３ａを開閉するゲート４を設け、貯留ヤード１ａの上部に設けた駆動装置５により前記ゲート４を上下移動させることにより、出入口３ａを開閉させるようにしたため、ゲート４を下降させて貯留ヤード１ａの出入口３ａを閉鎖することにより、廃棄物３４を貯留ヤード１ａ内に投入しても、出入口３ａが閉鎖されているため、崩れた廃棄物３４が貯留ヤード１ａの外に流出せず、廃棄物３４を貯留することが出来る。
【００２４】
尚、上記本実施の形態では、ゲート４の上方に開口スペース３ｂ１を形成したが、ゲート４の高さｈと側面壁２ａ、２ｃの高さＨを同一にして開口スペース３ｂ１を形成せずに、上方開口部３ｂより廃棄物３４を投入しても良い。この場合は、ゲート４の高さが高くなるため、貯留ヤード１ａに一時的に貯留できる廃棄物３４を増加させることが出来る。
【００２５】
尚、上記本実施の形態では、上方開口部３ｂを形成しているが、前記上方開口部３ｂを天板等により閉鎖し、開口スペース３ｂ１のみを形成するようにしても良い。この場合は、貯留ヤード１ａ内に貯留される廃棄物３４に雨水等により濡れるのを防止することが出来る。
【図面の簡単な説明】
【００２６】
【図１】廃棄物処理場の全体平面図である。
【図２】本発明の貯留ヤードの全体平面図であり、上側支持レールを省略した図である。
【図３】図２のＡ−Ａ断面図である。
【図４】本発明の貯留ヤードの全体正面図である。
【図５】図４のＢ−Ｂ断面図である。
【図６】図４のＣ−Ｃ断面図である。
【図７】出入口を開放した状態を示す作用状態図である。
【図８】出入口を閉鎖した状態を示す作用状態図である。
【図９】従来の貯留ヤードの全体斜視図である。
【図１０】従来の貯留ヤードの使用状態図である。
【符号の説明】
【００２７】
１ａ、１ｂ、２０１  貯留ヤード
２ａ、２ｃ  側面壁
２ｂ  背面壁
３ａ  出入口
３ｂ  上方開口部
４  ゲート
５  駆動装置
【図１】
2007070091.tif 000003
【図２】
2007070091.tif 000004
【図３】
2007070091.tif 000005
【図４】
2007070091.tif 000006
【図５】
2007070091.tif 000007
【図６】
2007070091.tif 000008
【図７】
2007070091.tif 000009
【図８】
2007070091.tif 000010
【図９】
2007070091.tif 000011
【図１０】
2007070091.tif 000012